(57)【特許請求の範囲】
【請求項１】
制御基板を収容可能であるとともにケーブルの引き出し口を有する制御基板ボックスであって、同引き出し口をケーブルは引き出し可能としつつ制御素子は出し入れ不能に開口径を小さくするにあたり、上記引き出し口の縁部に凹凸を形成して可撓性を有しない固体が通過できないようにしたことを特徴とする制御基板ボックス。
【請求項２】
上記制御基板ボックスは、上ケース部材と下ケース部材とから構成され、
上記上ケース部材には内部を視認するための大きな開口を打ち抜いて形成され、
上記上ケース部材に内側から合成樹脂製の透明板を装着し、内部を容易に確認できるようにして異物の進入を防止することを特徴とする上記請求項１に記載の制御基板ボックス。
【請求項３】
上記制御基板ボックスは、上ケース部材と下ケース部材とから構成されており、
上記下ケース部材の側壁における両短手方向の側壁と一方の長手方向の側壁の端部に上ケース部材における側壁の内側に回り込むようにガイド壁を形成したことを特徴とする上記請求項１または２に記載の制御基板ボックス。
【請求項４】
上記引き出し口は、縁部に凹部が形成され、
上記凹部には、別体のアダプタがはめ込まれ、
上記アダプタには、周縁に溝が形成されて当該溝が上記凹部の縁部にはめ込まれるとともに、内側の縁部には凹凸が形成されることを特徴とする上記請求項１〜３のいずれかに記載の制御基板ボックス。
【請求項５】
上記引き出し口において対面する下ケース部材の側壁は、端部を内側下方に折り曲げられていることを特徴とする請求項１〜４のいずれかに記載の制御基板ボックス。
【発明の詳細な説明】
【０００１】
【発明の属する技術分野】
本発明は、制御基板ボックスに関し、特に、パチンコ機などの遊技機における遊技制御基板を収容するのに使用して好適な制御基板ボックスに関する。
【０００２】
【従来の技術】
従来、この種の制御基板ボックスとして、図９及び図１０に示すものが知られている。
図において、制御基板ボックス１は、それぞれ一面を開口した薄箱形の下ケース２と上ケース３とから構成されている。すなわち、両ケース２，３の開口面を対面させつつ側壁の端部を突き合わせるように合体させて構成されており、内部に制御基板４を収容可能となっている。また、上ケース３の側の側壁３ａにおける上記下ケース２との突き合わせ部分には長さ方向にわたって凹部を形成してあり、合体せしめたときには内外に連通する引き出し口３ａ１を形成している。
【０００３】
ここにおいて、上記制御基板４には外部機器と接続させるためのフラットケーブル５が接続されており、同フラットケーブル５はこの引き出し口３ａ１を介して外部に導出されるようになっている。なお、制御基板４上には遊技プログラムを記録されたＲＯＭ６がソケット７を介して装着されている。
【０００４】
【発明が解決しようとする課題】
上述した従来の制御基板ボックスにおいては、フラットケーブル５を導出するための引き出し口３ａ１が形成されているが、同引き出し口３ａ１からＲＯＭ６を取り外して交換する不正が行われることがあるといった課題があった。
【０００５】
本発明は、上記課題にかんがみてなされたもので、ＲＯＭなどの制御素子を交換する不正を行えないようにすることが可能な制御基板ボックスの提供を目的とする。
【０００６】
【課題を解決するための手段】
上記目的を達成するため、請求項１にかかる発明は、制御基板を収容可能であるとともにケーブルの引き出し口を有する制御基板ボックスであって、同引き出し口をケーブルは引き出し可能としつつ制御素子は出し入れ不能に開口径を小さくするにあたり、上記引き出し口の縁部に凹凸を形成して可撓性を有しない固体が通過できないようにする構成としてある。
【０００７】
引き出し口の開口径を小さくすることにより、ケーブルは引き出し可能としつつ制御素子は出し入れ不能となる。
ここにおいて、制御基板ボックス自体の形状は少なくとも制御基板を収容可能であって引き出し口を有するものであれば、薄箱形であったり、方形の箱形であったり、三角形であるなど適宜変形可能である。
また、引き出し口の開口径については必ずしも引き出し口の開口面積という意味ではなく、いわゆる隙間の大きさの意であり、全体的には大きな開口面積であったとしても、引き出し口の縁部に凹凸を形成することによってＲＯＭなどの可撓性を有しない固体が通過できないようにするものであっても構わない。この場合、同凹凸の間隔を調整するなどしてＲＯＭなどの制御素子を出し入れ不能とすることができる。
【０００８】
さらに、開口径とはいっても必ずしも円形である必要はなく、四角や三角であるなど適宜変更可能であることはいうまでもない。
また、引き出し口の縁部に形成する凹凸については、当該制御基板ボックスの壁材にて形成しても良いし、別部材で形成することもできる。例えば、パチンコ機などの遊技機においては、全体を金属で形成するとともに、内部を透視できるように、透明の合成樹脂も使用されている。この樹脂の一部を引き出し口部分に延設して凹凸を形成するようにしても良い。また、全く別個の部材を引き出し口の縁部に装着して内側に凹凸が対面するようにすることもできる。むろん、凹凸を形成するのではなく、この合成樹脂の一部が引き出し口の開口径を小さくするようなものでも構わない。
【０００９】
【発明の効果】
以上説明したように本発明は、ケーブルを引き出すことは可能であるもののＲＯＭなどの制御素子は出し入れ不能で交換できないようにして不正を防止することが可能な制御基板ボックスを提供することができる。
【００１０】
【発明の実施の形態】
以下、図面にもとづいて本発明の実施形態を説明する。
図１は、本発明の一実施形態にかかる制御基板ボックスを分解斜視図により示している。
【００１１】
同図において、この制御基板ボックス１０は、下ケース部材２０と、上ケース部材３０とから構成されており、パチンコ機の遊技制御基板４０を収容しつつ、同遊技制御基板４０に接続された二本のフラットケーブル５０を外部に導出している。
金属製の下ケース部材２０と上ケース部材３０は、外形が概ね一致するとともに上面を開口した薄箱形に形成されており、両者は互いに開口面を対面させた状態で側壁２１，３１部分を突き合わせて合体可能となっている。下ケース部材２０と上ケース部材３０には放熱用のたくさんのスリットを形成してあり、また、上ケース部材３０には内部を視認するための大きな開口を打ち抜いて形成してある。ただし、上ケース部材３０については内側から合成樹脂製の透明板６０を装着してあり、内部を容易に確認できるようにしつつ、異物の進入などを防止している。さらに、下ケース部材２０については、側壁２１における両短手方向の側壁２１ａ，２１ｂと一方の長手方向の側壁２１ｃの端部に上ケース部材３０における側壁３１の内側に回り込むようにガイド壁２１ａ１〜２１ｃ１を形成してある。従って、突き当て部分では二重に重なり、隙間から異物を進入させてこじ開けるといったことができにくくなっている。
【００１２】
本実施形態においては、下ケース部材２０と上ケース部材３０とが共に一面を開口した矩形薄箱形に形成されているが、少なくとも、遊技制御基板４０を収容できるような形状であればよい。従って、厚めの箱形であったり、角部をとるなど、適宜変形可能である。また、それぞれ下ケース部材２０と上ケース部材３０は矩形の底壁２２あるいは天井壁３２と、その周縁から直角に延設された側壁２１，３１とから形成されているが、側壁部分については最終的に箱形となるようになっていればよい。従って、必ずしも両方のケースから延設されている必要はなく、一方のケースの側からのみ延設され、相手側の底壁２２あるいは天井壁３２の周縁に突き当てられるようになっていても構わない。むろん、突き合わせ部分において必ずしも二重になっている必要はない。また、放熱用のスリットや内部視認用の開口については適宜変形可能である。
【００１３】
上ケース部材３０における上記ガイド壁２１ａ１〜２１ｃ１と重なり合わない長手方向の側壁３１ｄについては他の側壁３１ａ〜３１ｃと比べて天井壁３２の側に向かって二つの凹部３１ｄ１，３１ｄ１を形成してある。この凹部３１ｄ１，３１ｄ１は他の側壁３１ａ〜３１ｃと比べて凹んでいるため、上ケース部材３０と下ケース部材２０とを合体したときには内外を貫通せしめる引き出し口３３，３３を形成し、当該引き出し口３３，３３を介して上記フラットケーブル５０を内部から外部に向けて導出させることが可能となる。
【００１４】
本実施形態においては、引き出し口３３が二ヶ所に形成されているが、フラットケーブル５０を導出させることができれば良く、その数、形状、場所については適宜変更可能である。すなわち、フラットケーブル５０を導出させる上で必須となる連通口であればよい。むろん、フラットケーブル５０に限らず、通常の紐状のケーブルでも構わないし、さらには、上記引き出し口３３の位置はどの側壁３１ａ〜３１であっても構わない。一方、引き出し口３３自体は上ケース部材３０の側に作る必要はなく、下ケース部材２０の側でも良いし、両方に跨るようにして形成しておいても良い。
【００１５】
上ケース部材３０の内側に装着される合成樹脂製の透明板６０の一部はこの引き出し口３３の側に延設されており、図２に示すように、この引き出し口３３の縁部部分から内側に向かって突出する複数の小突起６１を形成してある。図３に拡大して示すように、この小突起６１はＲＯＭ８０のパッケージが引き出し口３３を通過できないような寸法設定としてある。すなわち、小突起６１の先端から対面の縁部までの寸法Ｌ１はＲＯＭ８０のパッケージの高さ寸法Ｈ１よりも短いし、小突起６１と小突起６１との間の凹部から対面の縁部までの寸法Ｌ３もＲＯＭ８０の高さ寸法Ｈ０よりも短い。さらに、小突起６１同士の間隔Ｌ２もＲＯＭ８０のパッケージの幅寸法Ｗよりも小さい。
【００１６】
本実施形態においては、この透明板６０から延設された部分と小突起６１とによって引き出し口３３からケーブルは引き出し可能であるもののＲＯＭなどの制御素子は通過できないようにしている。しかしながら、かかる小突起６１を形成する以外にも、同透明板６０の縁部が引き出し口３３よりも内側に突き出るだけで開口径を小さくしてＲＯＭなどの制御素子は通過できないようにすることができる。さらに、引き出し口３３自身の縁部に凹凸を形成したりしてもケーブルは引き出し可能としつつＲＯＭなどの制御素子は通過できないようすることができる。また、図５及び図６に示すように、引き出し口３３の縁部自体は通常の凹部としておき、樹脂などで成形した別体のアダプタ３４を装着するようにしても良い。アダプタ３４には周縁に溝３４ａを形成しておいて引き出し口３３の縁部にはめ込むとともに、内側には上述した小突起６１と同様の突起３４ｂを形成してある。
【００１７】
なお、引き出し口３３の対面する下ケース部材２０の側壁２１ｄの端部を内側下方に折り曲げてあり、図７に示すようにフラットケーブル５０がその屈曲部分に当接するようにしてあるので、同フラットケーブル５０を傷つけにくくなっている。
一方、二つ並んだ凹部３１ｄ１，３１ｄ１の間と両側において下ケース部材２０と上ケース部材３０の側壁には係止構造７０を形成してある。この係止構造７０は、図８にも示すように、上ケース部材３０の側壁３１から帯板片を延設した係止片７２，７２，７２と、下ケース部材２０の側壁２１に形成されて上記係止片７２，７２，７２の先端が挿入されて係止するスリット７１，７１，７１とから構成され、断面クランク形に形成された係止片７２の先端７２ａがスリット内に入り込み、屈曲部分で係止する。なお、側壁３１からの連続部分には補強のための外形長円形のしぼり７２ｂを形成してある。
【００１８】
本実施形態においては、係止片７２とスリット７１とで係止構造７０を形成しているが、引き出し口３３が形成される側壁２１ｄ，３１ｄ部分で引き離し方向に抗するようなものであれば適宜変形可能である。
なお、遊技制御基板４０の固定のため、下ケース部材２０の底壁２２の四隅には雌ネジ２４を四隅に取り付けてある。また、当該雌ネジ２４に対して遊技制御基板４０をネジ止めしつつさらに上ケース部材３０をネジ止めするため、下端を雄ネジに形成するとともに上端には雌ネジを形成した取り付けステー２５を備えている。
【００１９】
次に、上記構成からなる本実施形態の動作を説明する。
まず、上ケース部材３０の裏面に透明板６０を装着する。すると、引き出し口３３部分に透明板６０の縁部が重なり、引き出し口３３の縁部となるとともに当該縁部からは所定の間隔で小突起６１が突出した状態となる。
一方、下ケース部材２０の内部に遊技制御基板４０を収容し、これを貫通させながら四隅の雌ネジ２４に対して取り付けステー２５の雄ネジを螺合させる。すると、取り付けステー２５の胴部部分で遊技制御基板４０を雌ネジ２４に対して締め付けて固定することになる。この後、フラットケーブル５０を下ケース部材２０における側壁２１ｄ上を通って外側に導出させ、さらに上ケース部材３０を上方から被覆する。
【００２０】
このとき、二本のフラットケーブル５０，５０を三つの係止片７２，７２，７２の間に通し、各係止片７２，７２，７２の先端７２ａを下ケース部材２０の側壁２１ｄに形成したスリット７１，７１，７１に対して外側から挿入する。クランク状とした屈曲部分がスリット７１，７１，７１を貫通するようにして上ケース部材３０を下ケース部材２０の側に被せていくと、同下ケース部材２０の側壁２１ａ〜２１ｃ端部から延設されているガイド壁２１ａ１〜２１ｃ１が上ケース部材３０の側壁３１ａ〜３１ｃの内側に入り込み、突き合わせ部分に隙間を生じることなく上ケース部材３０と下ケース部材２０とが合体する。この状態で上ケース部材３０を貫通させて上記取り付けステー２５にネジ止め固定する。
【００２１】
上ケース部材３０を下ケース部材２０上に重ねていくとき、引き出し口３３を通過しなければならないが、フラットケーブル５０にとっては小突起６１がさほど邪魔になるわけではなく、当接したときにはわずかに撓むだけである。従って、十分に余分な隙間が生じている。しかし、適当な治具を引き出し口３３の隙間から挿入し、遊技制御基板４０上に装着されているＲＯＭ８０を取り外したとしても、上述したようにＲＯＭ８０は小突起６１によって使えてしまい、外に取り出すことはできない。なお、引き出し口３３の縁部が金属だけである場合は、ドライバなどで壁面を撓めてしまい、こじ開けてしまうこともあるが、透明板６０を使用している場合には割れてしまうので痕跡を残すことができる。
【００２２】
なお、フラットケーブル５０自体は先端に備えられたコネクタ５１を介して遊技制御基板４０に接続されるが、このようなコネクタ５１はＲＯＭ８０よりも大きいので、このコネクタ５１を通過させなければならない引き出し口３３は本来ならばＲＯＭ８０が通過可能となってしまう。しかしながら、引き出し口３３を下ケース部材２０と上ケース部材３０との合わせ目に形成しているので、分離時にフラットケーブル５０を通しておくことができ、不要に引き出し口３３を大きくする必要が無くなる。また、この引き出し口３３を形成する合わせ目部分に係止片７２を形成しているため、当該合わせ目を広げられず、ＲＯＭ８０を取り出すことも不能としている。
【００２３】
このように、下ケース部材２０と上ケース部材３０とで箱形のケースを形成して遊技制御基板４０を収容しつつ、側壁３１ｄの端部にはフラットケーブル５０を導出するためにの凹部３１ｄ１を形成して引き出し口３３とする場合に、透明の透明板６０を引き出し口３３の側に延設させつつ内側に突出する小突起６１を形成するなどして開口径を小さくしているため、制御素子であるＲＯＭ８０のパッケージなどについては取り出すことができないようにしつつ、フラットケーブル５０については容易に導出させることができる。
【図面の簡単な説明】
【図１】本発明の一実施形態にかかる制御基板ボックスの分解斜視図である。
【図２】制御基板ボックスの側面図である。
【図３】引き出し口と制御素子のＲＯＭの寸法の説明図である。
【図４】引き出し口の変形例を示す制御基板ボックスの側面図である。
【図５】引き出し口の凹凸の他の変形例を示す制御基板ボックスの部分斜視図である。
【図６】同変形例にかかるアダプタの側面図である。
【図７】引き出し口部分の断面図である。
【図８】制御基板ボックスの断面図である。
【図９】従来の制御基板ボックスの斜視図である。
【図１０】同制御基板ボックスの分解斜視図である。
【符号の説明】
１０…制御基板ボックス
２０…下ケース部材
３０…上ケース部材
３３…引き出し口
３４…アダプタ
３４ａ…溝
３４ｂ…突起
４０…遊技制御基板
５０…フラットケーブル
６０…透明板
６１…小突起
７０…係止構造
８０…ＲＯＭ
【図１】
0003747965.tif 000002
【図２】
0003747965.tif 000003
【図３】
0003747965.tif 000004
【図４】
0003747965.tif 000005
【図５】
0003747965.tif 000006
【図６】
0003747965.tif 000007
【図７】
0003747965.tif 000008
【図８】
0003747965.tif 000009
【図９】
0003747965.tif 000010
【図１０】
0003747965.tif 000011